【手続補正書】
【提出日】平成16年3月18日(2004.3.18)
【手続補正１】
【補正対象書類名】明細書
【補正対象項目名】００１２
【補正方法】変更
【補正の内容】
【００１２】
【発明の実施の形態】
以下、本発明の実施の形態を図面について説明する。
図１は本発明の一実施形態を示す概略構成図であって、図中、Ｍはマスタ局となるマスタ側情報処理装置であって、このマスタ側情報処理装置Ｍが形成する小規模無線ネットワークＮＷに複数台（例えば３台）のスレーブ局となるスレーブ側情報処理装置Ｓ１〜Ｓ３が参加している。


【手続補正２】
【補正対象書類名】明細書
【補正対象項目名】００１５
【補正方法】変更
【補正の内容】
【００１５】
また、通信制御部１４は、各スレーブ側情報処理装置Ｓ１〜Ｓ３に対するポーリング順序、ポーリング回数を規定したポーリングスケジュールを記憶するポーリングスケジュール記憶部２１と、このポーリングスケジュール記憶部２１のポーリングスケジュールに基づいてポーリング対象となるスレーブ側情報処理装置Ｓｉ（ｉ＝１，２……５）を決定するポーリングスケジュール実行部２２と、このポーリングスケジュール実行部２２で決定したスレーブ側情報処理装置Ｓｉ宛のポーリングフレームを生成するポーリングフレーム生成部２３と、このポーリングフレーム生成部２３で生成したポーリングフレームを近距離無線通信インタフェース１５に送出するフレーム送信部２４と、このフレーム送信部２４から出力されるポーリングフレームを近距離無線通信インタフェース１５に出力すると共に、近距離無線通信インタフェース１５で受信した受信フレームを出力する送受信切換部２５と、この送受信切換部２５からのフレームを受信するフレーム受信部２６と、このフレーム受信部２６で受信したフレームを解析してポーリングスケジュール実行部２２に通知するフレーム解析部２７とを備えている。


【手続補正３】
【補正対象書類名】明細書
【補正対象項目名】００２７
【補正方法】変更
【補正の内容】
【００２７】
ポーリングフレーム生成部２３では、今回のポーリングフレームの宛先Ｓ１に送信するデータがあるか否かを判断し、送信データがある場合には、次回及び次々回のポーリングフレーム宛先をポーリングスケジュール記憶部２１から読込み、図６に示すように、今回の宛先Ｓ１、次回の宛先Ｓ３及び次々回の宛先Ｓ２を送信先ヘッダ部３１に書込むと共に、必要情報を情報ヘッダ部３２に書込み、さらに送信データをペイロード部３３に書き込んで図３に示すデータ送信用ポーリングフレームＤＦを生成して、このフレームＤＦを近距離無線通信インタフェース１５を介して近距離無線通信ネットワークＮＷに送信する。


【手続補正４】
【補正対象書類名】明細書
【補正対象項目名】００２９
【補正方法】変更
【補正の内容】
【００２９】
このため、スレーブ側情報処理装置Ｓ１では、ポーリングフレームＤＦが自己宛であるので、図５の処理を実行したときにステップＳ３からステップＳ４を経てステップＳ５に移行し、ブロードキャスト用ポーリングフレームＢＦではないので、ステップＳ６に移行して、ペイロード部３３に書込まれているデータに基づいてデータ処理をしてから、ペイロード部に送信データが存在する場合にはこの送信データを、送信データが存在しない場合にはＥＯＴを書込んだ送信パケットを生成してこれをマスタ側情報処理装置Ｍに送信してからステップＳ８に移行する。


【手続補正５】
【補正対象書類名】明細書
【補正対象項目名】００３０
【補正方法】変更
【補正の内容】
【００３０】
このステップＳ８では、送信先ヘッダ部３１に格納されている次回及び次々回の宛先Ｓ３及びＳ２読込み、次いでステップＳ９に移行して、ＲＡＭ１３の所定記憶領域に記憶されているポーリングシーケンスと比較する。このとき、ＲＡＭに形成した所定シフトレジスタ領域にポーリングシーケンスが格納されていないので、次回及び次々回の宛先Ｓ３及びＳ２がその順に登録される。


【手続補正６】
【補正対象書類名】明細書
【補正対象項目名】００３４
【補正方法】変更
【補正の内容】
【００３４】
このため、マスタ側情報処理装置Ｍから次のスレーブ側情報処理装置Ｓ３宛ののポーリングフレームＤＦが送信されたときには、スレーブ側情報処理装置Ｓ１及びＳ２は受信動作を行うことなくスリープ状態にあり、スレーブ側情報処理装置Ｓ３のみが受信状態を維持して、自己宛のポーリングフレームＤＦを受信し、そのペイロード部３３に書込まれた送信データをデータ処理すると共に、送信データ又はＥＯＴを結果をペイロード部に書込んだ送信パケットを生成してマスタ側情報処理装置Ｍに送信する。これと共に、受信したポーリングフレームＤＦの送信先ヘッダ部３１に書込まれいてる次回及び次々回の宛先Ｓ２及びＳ３をＲＡＭ１３に形成した所定シフトレジスタ領域の先頭段及び次段に上書きし、次回の宛先Ｓ２が自己宛ではないので、受信状態を解除してスリープ状態に移行し、次にマスタ側情報処理装置Ｍでポーリングフレームを送信するタイミングで所定シフトレジスタ領域を１つシフトして次々回の宛先Ｓ３を次回の宛先としてからステップＳ１１に戻る。


【手続補正７】
【補正対象書類名】明細書
【補正対象項目名】００４１
【補正方法】変更
【補正の内容】
【００４１】
このマスタ側情報処理装置Ｍでデータ送信用ポーリングフレームＤＦを送信している状態から、あるスレーブ側情報処理装置Ｓｉ（ｉ＝１，２，３）にポーリングフレームを送信するタイミングで、このスレーブ側情報処理装置Ｓｉに送信する送信データが無い場合には、マスタ側情報処理装置Ｍのフレーム生成部２３で図４に示すブロードキャスト用ポーリングフレームＢＦが生成され、これが近距離無線インタフェース１５を介して各スリーブ側情報処理装置Ｓ１〜Ｓ３に送信される。


【手続補正８】
【補正対象書類名】明細書
【補正対象項目名】００４２
【補正方法】変更
【補正の内容】
【００４２】
このため、ブロードキャスト用ポーリングフレームＢＦが送信されたタイミングで、自己宛を認識して受信状態に制御されているスレーブ側情報処理装置Ｓｉ及びこの送信タイミングでＲＡＭ１３に形成された所定シフトレジスタ領域に次回の宛て名が記憶されていないことにより受信状態に制御されているスレーブ側情報処理装置Ｓｊ（ｊはｉ以外の１〜３の値）がブロードキャスト用ポーリングフレームＢＦを受信し、自己宛であるので図５の処理においてステップＳ４からステップＳ５に移行し、ブロードキャスト用ポーリングフレームＢＦであるので、ステップＳ８にジャンプし、このブロードキャスト用ポーリングフレームＢＦにはペイロード部４３に送信データに代えて所定数のポーリングシーケンスが格納されているので、このポーリングシーケンスを全てＲＡＭ１３に形成された所定シフトレジスタ領域に上書きする。


【手続補正９】
【補正対象書類名】明細書
【補正対象項目名】００４３
【補正方法】変更
【補正の内容】
【００４３】
このため、所定シフトレジスタ領域の全てに比較的長期のポーリングシーケンスが格納されることになり、前述した図６のポーリングフレーム送信タイミングＴ４のように所定シフトレジスタ領域に次回の宛て先がなくなることによる受信状態の発生を抑制することができる。
なお、上記実施形態においては、マスタ側情報処理装置Ｍでブロードキャスト用ポーリングフレームＢＦを送信するタイミングがフレーム生成部２３で、ポーリングスケジュールで決定される宛先に対する送信データがないときに限定されているので、このブロードキャスト用ポーリングフレームＢＦを受信するスレーブ側情報処理装置数が少なく、全てのスレーブ側情報処理装置Ｓ１〜Ｓ３で受信することができない場合について説明したが、これに限定されるものではなく、フレーム生成部２３で、送信データが存在しない宛先が事前に判別可能であるときには、その宛先にブロードキャストを行うことを表す「０」を書込み、スレーブ側情報処理装置Ｓ１〜Ｓ３で、ＲＡＭ１３に形成した所定シフトレジスタ領域における次回の宛先がブロードキャストを表すときに、スリープ状態から受信状態に復帰させるようにすれば、全てのスレーブ側情報処理装置Ｓ１〜Ｓ３で受信することが可能となり、不要な受信状態の発生をより減少させることができる。
さらには、マスタ側情報処理装置Ｍで宛先への送信データの有無にかかわらず、所定送信タイミング毎にブロードキャスト用ポーリングフレームＢＦを定期的に送信するようにしてもよい。


【手続補正１０】
【補正対象書類名】図面
【補正対象項目名】図２
【補正方法】変更
【補正の内容】
【図２】
2002300173.tif 000001
【手続補正１１】
【補正対象書類名】図面
【補正対象項目名】図３
【補正方法】変更
【補正の内容】
【図３】
2002300173.tif 000002
【手続補正１２】
【補正対象書類名】図面
【補正対象項目名】図４
【補正方法】変更
【補正の内容】
【図４】
2002300173.tif 000003